(57)【要約】【課題】  歯の根管の切削や神経を抜く作業などを楽に行い得るようにすることにより、歯科医師の疲労を少なくして集中力が持続できるような根管治療用具を提供する。【解決手段】  ハンドル側筐体１０の先に振動側筐体１１を取り付けて往復動発生具とする。振動側筐体１１の中にハンドファイル４の着脱部１３を往復動自在に組み込む。着脱部１３の後端部のハンドファイル４の装着口１６から挿着してネジ蓋３で固定されたハンドファイル４はその針部４１が着脱部１３の針通し孔１５から前方に突出する（図１）。これに対してハンドファイル４を逆の向きで着脱部１３に装着してネジ蓋３で固定すると、針部４１はネジ蓋３の針通し孔３０から後方に突出する（図４）。針通し孔１５よりも針通し孔３０の方が奥行きが長いため突出する針部４１の長さは後方が短くなる。【選択図】図１
2020131010.tif 000002
【特許請求の範囲】
【請求項１】
振動筒がファイルの軸部の装着部を備えており、ファイルの往復動方向の前記振動筒の両側にファイルの針の針通し孔を有することで、ファイルの針の向きを変えて前記装着部に装着し得るように構成されていると共に、一側の前記針通し孔と他側の前記針通し孔とでは針通し孔から外に出る前記針の長さが異なるように構成されている、根管治療用の往復動発生具の振動筒。
【請求項２】
前記装着部に対して、前記振動筒の側面部に開けた装着口からファイルの軸部を装着するように構成されている、請求項１に記載の根管治療用の往復動発生具の振動筒。
【請求項３】
前記振動筒の一側に前記針通し孔があり、他側にファイルの軸部の装着口が開口されていると共に、ファイルを固定するためのキャップが前記装着口に着脱自在に取り付けられており、該キャップに他側となる前記針通し孔を有している、請求項１に記載の根管治療用の往復動発生具の振動筒。
【請求項４】
振動筒がファイルの軸部の装着部を備えており、この振動筒の一側に前記針通し孔があり、他側にファイルの軸部の装着口が開口されていると共に、ファイルを固定するためのキャップが前記装着口に着脱自在に取り付けられており、前記キャップの捻じ込み部の底部が太い柄のファイルのほぼ柄の幅の当接部であると共に、該当接部に細い柄のファイルの柄の幅の挿着穴を有する、根管治療用の往復動発生具の振動筒
【請求項５】
請求項１乃至請求項４の何れか一に記載の振動筒を備えている、根管治療用の往復動発生具。
【請求項６】
前記ファイルを備えている、請求項５に記載の根管治療用の往復動発生具。
【請求項７】
請求項３に記載の針通し孔を有するキャップ。
【請求項８】
請求項４に記載の太い柄の当接部と細い柄の挿着穴とを有するキャップ。
【発明の詳細な説明】
【技術分野】
【０００１】  この発明は、ファイルに電気的に往復運動を発生させて虫歯となっている部分を綺麗に処置するための、電動式往復運動発生具の振動筒、この振動筒を備えた往復動発生具、また振動筒に取り付けるキャップに関する。なおこの発明で言うファイルは、ファイリングのためのファイルとリーミングのためのリーマとを含む用語であるが、この発明ではこれらに類似する治療用具を包含している。さらにプラガーやこれに類するロッドを往復運動させて歯の詰め物に加圧するための歯科用具にも関係している。
【背景技術】
【０００２】  歯科医師が患者の虫歯の根管等の治療を行うに当たってはファイルと呼ばれる切削用具を用いるのが一般的である。ファイルにはファイルとリーマとが含まれ、ファイルはファイリング（上下運動）からリーマはリーミング（ねじる）から名付けられたものである。これ等は用途やサイズによって柄に色分けが為されたり記号や数字が記載されたりしている。また手で取り扱うものをハンドファイルなどと呼んでいる。また柄の太さが異なるものがある。なおこのような根管治療には根管長測定器が併用されることが多い。また神経を除去した後の虫歯の穴にワックス付きのフロスやガッターパーチュアーなどの根管充填材を緊密に詰めて再度感染が起こらないようにする治療は根管充填と呼ばれている。上述したような歯の神経の治療方法については非特許文献１のインターネットサイトの記事が分かりやすい。また根管充填治療については非特許文献２のインターネットサイトの記事が分かりやすい。【０００３】  当発明者は上述したような電動式往復運動発生具として、特願２０１８−５５８４４７を開発して来た。このものは筐体とこの筐体内に収められた往復動発生部と、この往復動発生部に設けられたファイルの着脱部とから成っており、細くて小さなファイルを指先に摘まんで操作する必要を無くして、この動作を自動で行わせようとしたものである。着脱部部にファイルを装着すると、往復動発生部の先端部からファイルの針部が突出して往復動を行うようになっている。この開発により歯の根管を拡大して綺麗にしたり神経を抜く作業が容易に行い得るようになっており、歯科医師の疲労が少なくなり、集中力を持続することが出来る効果を獲得したのである。
【先行技術文献】
【特許文献】
【０００４】
【特許文献１】特願２０１８−５５８４４７
【非特許文献１】インターネットＷＷＷサイト＜ＵＲＬ：ｈｔｔｐ：／／ｍｕｓｈｉｂａ−ｌａｂｏ．ｃｏｍ／？ｐ＝１０１３３＞
【非特許文献２】インターネットＷＷＷサイト＜ＵＲＬ：ｈｔｔｐ：／／ｗｗｗ．ｉｓ−ｄｃ−ｍ．ｎｅｔ／ｐａｇｅｓ／ｒｏｏｔ．ｈｔｍｌ＞
【発明の概要】
【発明が解決しようとする課題】
【０００５】  例えば特願２０１８−５５８４４７にファイルを装着する場合、往復動発生部に装着するファイルをこの往復動発生部に専用のものとして良い分けであるが、歯科医師としては市販のファイルをそのまま利用して装着出来る方が、慣れているものであるが故に、使い勝手が良いと感じている。【０００６】  ところで上述したように優れた電動式往復運動発生具ではあるが、治療時に於ける患者の口が開きにくい状況やその時々の口の形や医師の体勢や虫歯の位置などと言った特殊な事情によって、往復動発生部の先端部から突出するファイルの針部の長さがより短いものであると、患者の口腔内での取り回しや難しい角度の根管への対応がより楽になるのにと思うようなことが儘ある。これは根管充填などの他の歯科治療に於いても同様である。【０００７】  或いは使い易さの別の観点として、一つの電動式往復運動発生具で２種類の柄の太さのファイルを使い分けることが出来れば、ファイルの選択肢を広げられると言うことが上げられる。医師にとって使い慣れた柄の太さのファイルが２種類であったとしても、それに対応することが出来る。【０００８】  このような問題を解決することが出来れば、歯科医師の仕事がより楽になり疲労もより少なくなる。従ってこの発明の課題は上述したような問題点を解決して、第一の課題として電動式往復運動発生具が治療の状況に応じてファイルの針部の長さをより短くすることが出来るようにすること、または第二の課題として電動式往復運動発生具が治療の状況に応じて２種類の柄の太さのファイルを使い分けすることが出来るようにすること、を目的とする。
【課題を解決するための手段】
【０００９】  上記の第一の課題は、振動筒がファイルの軸部の装着部を備えており、ファイルの往復動方向の振動筒の両側にファイルの針の針通し孔を有することで、ファイルの針の向きを変えて装着部に装着し得るように構成されていると共に、一側の針通し孔と他側の針通し孔とでは針通し孔から外に出る針の長さが異なるように構成されている、根管治療用の往復動発生具の振動筒とすることにより達成される。【００１０】  これまでは、上述したように往復動発生部の先端部からのみファイルの針を突出させるように構成されていた。これに対して本願発明では、往復動発生部の先端部を一側とすれば、他側として往復動発生部の後端部からもファイルの針を突出させることが出来るように構成したのである。これにより装着部へのファイルの装着に当たり、針をどちらの側に向けて装着するかが医師に選択出来るようになった。【００１１】  しかも一側の前記針通し孔と他側の前記針通し孔とでは針通し孔から外に出る前記針の長さが異なるように構成されていることによって、これから行う治療に必要な針の長短を選択することが出来る。例えば通常は往復動発生部の先端部から針が突出するようにファイルを装着部に装着するのであるが、針が短い方が取り回しが楽であると言うような状況が生じた場合には今度は針を逆方向である後端部に向けて装着し直すと言う具合である。従ってこの場合には先端部側の針通し孔の長さよりも、後端部側の針通し孔の長さの方を長くするように設計すれば良い。これによりこの発明に専用のファイルのみならず市販のファイルでさえ、１本あれば針の長さを２種に変化させて実質的に２本として使い分けることが出来るようになる。【００１２】  ところで装着部へのファイルの装着であるが、装着部に対して、振動筒の側面部に開けた装着口からファイルの軸部を装着するように構成されているものとすることが出来る。装着口に軸部を装着する際に、先にファイルの針を振動筒の先端部側の針通し孔に通してから、または後端部側の針通し孔に通して、その後でファイルの軸部を装着口に装着するのである。なお電動式往復運動発生具の振動側筐体に付いて触れておくと、振動筒の装着口と位置的に一致させて、振動側筐体にもファイルの軸部の装着口を開口しておく必要がある。【００１３】  このように構成することにより、ファイルの軸部を装着口から振動筒へ押し込むことにより簡単に装着することが出来るし、取り外しに当たってはファイルの軸部の凹みに指先を掛けるなどして引き出すようにすれば良い。従って振動筒の側壁部側から行うファイルの着脱も容易で便利である。【００１４】  更に振動筒の先端部側の針通し孔と後端部側の針通し孔とでは、針通し孔の長さに違いがあるように構成するのであるから、針通し孔から外に出る針の長さが先端部側と後端部側とでは異なることになる。従って所望の針長となるように、ファイルの針を何れかの針通し孔に通してから、装着口にファイルの軸部を装着することになる。すなわちただ針の向きを変えて装着するだけで、他側の針長を一側の針長よりも短くすることが出来る効果を奏する。【００１５】  次に装着部へのファイルの装着であるが、振動筒の一側に針通し孔があり、他側にファイルの軸部���装着口が開口されていると共に、この装着口に、ファイルを固定するためのキャップが着脱自在に取り付けられており、このキャップに他側となる針通し孔を有しているものとすることが出来る。この構成で特筆すべきはこのキャップに他側となる針通し孔を有している点である。なお一側の針通し孔と他側の針通し孔とでは針通し孔から外に出る針の長さが異なるようにするために、針通し孔の長さに違いがあるようにする必要がある。【００１６】  このように構成することによって、ただファイルの針の向きを変えて装着してキャップで固定すると言う操作だけで、簡単容易に他側の針長を一側の針長よりも短くすることが出来るのである。【００１７】  なおここではキャップに他側となる針通し孔を有していて、このようなキャップを装着部の装着口に取り付けるように構成しているが、他側となる針通し孔を設けるものは上記キャップと呼べるようなものでなくても良い。例えば装着部を前側と後側とに分けて互いをネジで着脱自在とすると共に、前側の装着部と後側の装着部に、針通し孔の長さに違いが出るように、長さの異なる針通し孔を設けるなどとすれば良い。【００１８】  次に上記の第二の課題は、振動筒がファイルの軸部の装着部を備えており、この振動筒の一側に前記針通し孔があり、他側にファイルの軸部の装着口が開口されていると共に、ファイルを固定するためのキャップが前記装着口に着脱自在に取り付けられており、前記キャップの捻じ込み部の底部が太い柄のファイルのほぼ柄の幅の当接部であると共に、該当接部に細い柄のファイルの柄の幅の挿着穴を有する、根管治療用の往復動発生具の振動筒とすることにより達成される。【００１９】  これまでは、振動筒とキャップとはただ１種類のファイルを装着するものとされていたが、ここでは柄の太さが異なる２種類のファイルを装着し得るものとなっている。太い柄のファイルに対しては、キャップの底部が太い柄の上端部に当接することになる。或いは細い柄のファイルに対しては、キャップの底部の挿着穴が細い柄の挿着によって細い柄を受け入れることになる。なおファイルの柄の長短の違いに付いては、振動筒へのキャップの取り付けの深さで柄の長短の違いを吸収することが可能である。例えばネジ式であるならば捻じ込みの深度を調節すれば良い。【００２０】  このように構成することによって、医師にとって使い慣れた柄の太さのファイルが２種類であったとしても、キャップへの差し替えを可能にすることで、簡単容易にそれに対応することが出来るのである。なおもし将来に幾種類もの柄の太さのファイルが標準になることがあるならば、２種類のファイルに対応する幾種類かのキャップを提供するようにすれば良い。同心状の穴の大きさを２段階、３段階とすることも可能である。
【発明の効果】
【００２１】  この発明によれば、装着部へのファイルの装着にはただファイルの針の向きを変えるだけで良く、これにより市販のファイルでさえ、１本で針の長さを２種に変化させて実質的に２本として使い分けることが出来るようになると言う効果を奏する。【００２２】  またこの発明によれば、２種類の太さの柄のファイルを交換するに当たって、キャップでこの太さの違いに対応することが出来るようになると言う効果を奏する。
【図面の簡単な説明】
【００２３】
【図１】  実施例１の一部を切欠して模式的に表した説明図である。
【図２】  この回路部分を模式的に表した説明図である。
【図３】  振動筒１３の一部を切欠して模式的に表した説明図である。
【図４】  使用状態の説明図である。
【図５】  実施例２の一部を切欠して模式的に表した説明図である。
【図６】  使用状態の説明図である。
【図７】  実施例３の説明図である。
【図８】  使用状態の説明図である。
【図９】  実施例４の説明図である。
【図１０】  実施例４のキャップ７を底面方向から表した説明図である。
【図１１】  使用状態の説明図である。
【図１２】  使用状態の説明図である。
【発明を実施するための形態】
【００２４】  以下ではこの発明の実施例を図面に基づいて説明するが、この発明はこれ等に限定されるものではない。
【実施例１】
【００２５】  図１乃至図４を用いてこの実施例を説明する。往復動発生具１はハンドル側筐体１０と振動側筐体１１とから成り、振動側筐体１１はハンドル側筐体１０の先端部分にハンドル側筐体１０とでＴ字状を形成するように取り付けられている。振動側筐体１１の内部には根管内を治療するためのハンドファイル４の着脱部１３が、開口部１２から先端部分を出すような形で、往復動自在に組み込まれている。後述する往復動発生部はこの着脱部１３を往復動させるためのものである。【００２６】  チェアーユニット２には電動のギヤードモータ２０が納められており、ギヤードモータ２０の入力端子２２へはチェアーユニット電源２４からフットスイッチ２３を介して電力が供給されるようになっている。そしてギヤードモータ２０の回転軸２１は、ハンドル側筐体１０の中の回転軸２５に接続されている。【００２７】  回転軸２５の先端部にはピン２６が偏心状態で設けられており、このピン２６が着脱部１３の側面部に設けられたピン穴１４に掛合している。このように往復動発生部が構成されている。なおこの実施例で使用されるハンドファイル４は、挿着部である摘み部４０と針部４１とから成っており、針部４１の周囲には細かな突起４２が形成されている。【００２８】  着脱部１３は振動側筐体１１の内側にあって前後方向（図１の上下方向）に振動可能に設けられている。また着脱部１３の側面部より突出するガイドピン１７が振動側筐体１１の内側に前後方向すなわちハンドファイル４が往復動する方向に設けられたガイド溝１８に挿入されている。【００２９】  また着脱部１３の後端部には装着口１６が開口されており、ハンドファイル４をここから装着すると、その針部３１が着脱部１３に開孔されている（一側の針通し孔としての）針通し孔１５から抜け出て、摘み部４０の先端部が上記針通し孔１５の内側に接触するまで押し込むことが出来るように構成されている。【００３０】  また装着口１６には固定手段としてのキャップ３を捻じ込むことで、ハンドファイル４を固定することが出来る。従ってハンドファイル４の交換はこのキャップ３を着脱することによって行う。特にこのキャップ３には、（他側の針通し孔としての）針通し孔３０が開孔されている。この針通し孔３０の奥行きの長さは、上記着脱部１３の針通し孔１５の奥行きの長さよりも長く設計されている。なお固定手段はネジ式でなくとも良い。【００３１】  回転軸２５のピン２６が着脱部１３の側壁部のピン穴１４に横方向から嵌め込まれているため、図３から明らかであるように、回転軸２５の回転は着脱部１３を前後方向に振動させるだけで、実質的にハンドファイル４の針部４１周りに回転させるようには作用しない点も特徴である。但し、回動振動が比較的大きく生ずることを良しとしない場合を考慮して、上述のようなガイドピン１７とガイド溝１８との構成を設けているのである。なお矢線Ｓはストロークの方向を表している。【００３２】  この実施例の使用法であるが、図１のように装着口１６にハンドファイル４をその針部４１の側から挿入して、針部４１が着脱部１３の針通し孔１５から着脱部１３の外に出るようにして装着し、装着口１６にキャップ３を捻じ込んでハンドファイル４を固定��る。こうして往復動発生具１を根管治療に使用する準備が整う。【００３３】  この状態の往復動発生具１で問題がなければ、このままの状態で使用し続ければ良い。これに対して針部４１の長さがもっと短ければ良いのにと言うような状況が生じたような場合には、この実施例の往復動発生具１ならではの次のような処置が可能である。すなわち装着口１６からキャップ３を外して、一旦ハンドファイル４を取り出す。続いてハンドファイル４の姿勢を１８０度反転させて、摘み部４０の側から装着口１６に挿入する。これによって針部４１は装着口１６から後方に向かうことになる。そこで今度は針部４１をキャップ３に設けられた針通し孔３０に通すようにして、装着口１６にキャップ３を捻じ込むと、ハンドファイル４が固定されると共に針部４１が針通し孔３０からキャップ３の外に突出する（図４）。【００３４】  図１と図４とは共に模式図ではあるが、これ等の図から針部４１の着脱部１３の針通し孔１５から外に出ている分の長さに比して、キャップ３の針通し孔３０から外に出ている分の長さの方が短いことが良く分かる。
【実施例２】
【００３５】  次に図５及び図６を用いて説明するこの実施例の往復動発生具５では、ハンドファイル４を振動側筐体５１の側壁部側から着脱し得るように構成した点に特徴を有する。すなわち振動側筐体５１の先端部には開口部５２が開口されており、ここに振動筒としての着脱部５３が装着されている。この着脱部５３は振動側筐体５１の内側にあって、前後方向（図５の上下方向）に振動可能に設けられている。また振動筒５３は後端部に設けたピン穴５４に、実施例１で説明したピン２６が嵌め込まれている。また振動筒５３の後端部より突出するガイドピン５８が、振動側筐体５１の内側に前後方向（図５では上下方向）に設けられたガイド溝５９に挿入されている。なお振動筒５３の前端部にはハンドファイル４の針部４１を通すための針通し孔５５が開孔されている。【００３６】  また振動筒５３の側壁部にはハンドファイル４の装着口５６が開口されており、この装着口５６の位置に合わせて振動側筐体５１の側壁部にも、図示されていない装着口が開口されている。そして振動筒５３の内壁にはハンドファイル４の摘み部４０の受けゴム５７が取り付けられている。なお振動筒５３の後ろ端部には、ハンドファイル４の針部４１を通すための針通し孔５００が開孔されている。【００３７】  上記針通し孔５５と針通し孔５００とでは奥行きの長さが異なっており、振動筒５３の先端部側の針通し孔５５の奥行きの長さは、同じ振動筒５３の後端部側の針通し孔５００の奥行きの長さよりも短く設計されている。【００３８】  この実施例の使用法であるが、図５のようにハンドファイル４をその針部４１を針通し孔５５に通しつつ摘み部４０を装着口５６の中に押し込むようにする。すると摘み部４０は受けゴム５７によってしっかりと固定される。次に装着口５６の中の摘み部４０を指先で摘まんで、一旦ハンドファイル４を装着口５６から取り出す。続いてハンドファイル４の姿勢を１８０度反転させて、今度は針部４１を針通し孔５００の方に通しつつ、摘み部４０を装着口５６の中に押し込むようにする。これにより摘み部４０は受けゴム５７によりしっかりと固定される。この時針部４１が、図６で表すように振動筒５３の後端部側の針通し孔５００から外に突出する。【００３９】  図５と図６とは共に模式図であるが、これ等の図から振動筒５３の先端部側の針通し孔５５から外に出ている分の針部４１の長さに比して、後端部側の針通し孔５００から外に出ている分の針部４１の長さの方が短いことが一目で了解される。
【実施例３】
【００４０】  次に図７及び図８を用いて説明する往復動発生具６は、その構成を上述した実施例１に於ける往復動発生具１に倣うものであるが、ガイド溝１８とガイドピン１７とによる構成を備えていない。その代わりにこの往復動発生具６では、振動筒６３の外周部に３６０度に亘って上記ピン２６を挿入するためのピン穴６４が刻設されていることが特徴である。但し上記３６０度とは言うものの、ピン穴６４の一部にストッパ６７が設けてある。図示しないモータの回転軸はギヤードボックスを介して回転軸に接続され、この回転軸にピン２６が設けられており、このピン２６がピン穴６４に掛合して、ストッパ６７以外の箇所ではピン穴６４の中を自由に移動することが可能である。すなわち逆に、ピン２６がこのストッパ６７に接するまでは、振動筒６３は振動側筐体６１の内側で回動自在である。【００４１】  また往復動発生具６の振動側筐体６１の先端部には開口部６２が開口されており、ここに上記の振動筒６３が装着されている。この振動筒６３は振動側筐体６１の内側にあって前後方向（図７の上下方向）に振動可能に設けられている。また上記振動筒６３の後端部にはファイルの装着口６６が開口されており、上記ファイル４をここから装着すると、その針部４１が振動筒６３の一側（先端部側）の針通し孔６５から抜け出して、摘み部４０の先端部が上記針通し孔６５の内側に接触するまで押し込むことが出来るように構成されている。なお上記装着口６６にはキャップ３を捻じ込むことでファイル４を固定することが出来る。従ってファイル４の交換はこのキャップ３を着脱することによって行う。特にこのキャップ３には、（他側の針通し孔としての）針通し孔３０が開孔されている。この針通し孔３０の奥行きの長さは上記振動筒６３の針通し孔６５の奥行きの長さよりも長く設けられている。なお固定手段はネジ式でなくとも良い。【００４２】  さてこの実施例の往復動発生具６は、ハンドファイル４の柔軟に屈曲する針４１を往復駆動させることを旨として開発されたものである。それと言うのも、根管の曲りの形状が患者個々人によりまた同一患者であっても個々の歯によって異なるものであること、無理矢理に根管の曲がっている箇所から先に針４１を侵入させたような場合では針４１を引き出すのが難しくなる場合があり、また針４１が曲がったり傷付いたり、悪くすると針４１が欠けて根管の根尖に残ってしまうような問題点があったからである。【００４３】  このことから鋭意研究開発を行った結果、振動筒６３を自由に回動させるようにすると更に良いと言う知見を得ることが出来たのである。この自由な回動とは、駆動力によって強制的に回転・回動させることではなく、ただ固定しないようにしておいて、左右のどちら方向へも、外力に抗うことなく自由に動けることを言う。このように構成したことで、ハンドファイル４の往復運動に対する抵抗があっても、或いは根管に喰い込みそうになることがあったとしても、それを避けることが出来て、針４１の捩じれや曲がりが起こりにくく円滑に往復運動を継続することが出来るようになったのである。図８はその動作状態を表した模式図であるが、ピン穴６４にはほぼ同じような径のピン２６が挿入されているため、モー���の回転軸に偏心状態で繋がるピン２６が回転すると（図８でピン２６は鎖線で表した位置から実線で表した位置へと移動した瞬間が表されている）、この回転運動は振動筒６３の、図８の前後方向の往復運動に変換される。その一方でピン穴６４が振動筒６３の外周部に３６０度に亘って刻設されているため、振動筒６３は矢線の方向に自由に回動運動を行うことが出来る。正にこのことがリーマの針状部を捩じれにくくしているのである。なおストッパ６７の作用に付いては後述する。【００４４】  この実施例のピン穴６４とピン２６とには、上述のような重要な作用効果がある。さらに円滑に繰り返される往復運動と、ハンドファイル４の針４１の柔軟に屈曲する性質との相乗効果もあって、根管の曲がっている箇所でも根管内に都合良く入り込む瞬間が何度も何度も訪れ、結果的に短時間の内に虫歯の処置を終えることが出来るようになった。なおフリーな回動が可能になると、詰め物を避けて侵入し、逆に詰め物を巻き付けながら後退して古い詰め物を取り出したりする現象も観測されるようになった。【００４５】  ところでモータの回転軸側のピン２６はピン穴６４に掛合しているが、このピン穴６４は振動筒６３の外周部に３６０度に亘って刻設されている。このように構成した理由は後述するが、振動筒６３にハンドファイル４を後側から挿着して装着口６６にキャップ３を捻じ込もうとすると、振動筒６３は振動側筐体６１に対して３６０度を超えて自由に回動してしまうため、キャップ３を締めることが難しいのである。ところがピン穴６４に上記ストッパ６７が設けられているため、ここで振動筒６３の３６０度を超えての回転を抑えることが可能となって、キャップ３を確実に締め付けることが出来るのである。【００４６】  結局、針部４１の着脱部６３の針通し孔６５から外に出ている分の長さに比して、上記キャップ３の針通し孔３０から外に出ている分の長さの方が短くなるのである。
【実施例４】
【００４７】  次に図９乃至図１２を用いて説明するこの実施例のキャップ７は、ネジ山７１が刻設された捻じ込み部の底部である当接部７０の中心部に挿着穴７２が開口されたものであり、上述の往復動発生具６の振動筒６３の装着口６６に螺着させるものである。【００４８】  往復動発生具６は、このキャップ７があることにより２種類のハンドファイル４およびハンドファイル８を使い分けることが出来る。図１１はハンドファイル４を使用する場合の説明図であり、図１２はハンドファイル８を使用する場合の説明図である。先ずハンドファイル４を使う場合、上記柄である所の摘み部４０を手で摘んで、振動筒６３の装着口６６から針部４１を針通し孔６５に通すようにして装着して、装着口６６にキャップ７を捻じ込むようにする。この時太い柄のハンドファイル４の摘み部４０の幅とキャップ７の当接部７０の幅とがほぼ等しいため、ハンドファイル４は、当接部７０の中心部に挿着穴７２が開口されているも、当接部７０によって押さえられつつ、振動筒６３の中に固定される。【００４９】  次にハンドファイル８を使う場合、先ずキャップ７を緩む方向に捻じりハンドファイル４を取り外す。続いてハンドファイル８の摘み部８０を手で摘んで、振動筒６３の装着口６６から針部４１を針通し孔６５に通すようにして装着した後、ハンドファイル８の摘み部８０をキャップ７の当接部７０の挿着穴７２に装着し得るようにしつつ、キャップ７が振動筒６３の中で固定されるように、装着口６６に深く捻じ込むようにする。なおハンドファイル８は、挿着部である細長い摘み部８０と針部８１と、この針部８１の周囲の細かな突起８２とから成るものである。
【産業上の利用可能性】
【００５０】  この発明によれば、電動式往復運動発生具が治療の状況に応じてファイルの針部の長さをより短くすることが出来るようになる。或いは電動式往復運動発生具が、治療の状況に応じて使い勝手が異なる２種類のファイル（柄の太さを違えた２種類のファイル）を使い分けすることが出来るようになる。これにより歯科医師の仕事がより楽になり疲労もより少なくなるなど、この発明の産業上の利用価値には極めて高いものがある。【００５１】  なおこの発明は獣医療分野での利用の可能性がある。なおこの発明の針通し孔を有するキャップは、それが捻じ込み式のものであっても、そうでないものであっても、ファイルの針通し孔を有することが重要であって、従来の電動式往復運動発生具に適用することが可能であるから、このキャップ単体に付いても産業上の利用価値は極めて大きいと言うことが出来る。或いはこの発明の挿着穴を有するキャップは、従来の電動式往復運動発生具に適用することが可能であるから、このキャップ単体に付いても産業上の利用価値は極めて大きいものであると言える
【符号の説明】
【００５２】  １  ：往復動発生具          １０：ハンドル側筐体    １１：振動側筐体
１２：開口部                １３：着脱部            １４：ピン孔
１５：針通し孔              １６：装着口            １７：ガイドピン
１８：ガイド溝              ２  ：チェアーユニット  ２０：ギヤードモータ
２１：回転軸                ２２：入力端子          ２３：フットスイッチ
２４：チェアーユニット電源  ２５：回転軸            ２６：ピン
３  ：キャップ              ３０：針通し孔          ４  ：ハンドファイル
４０：摘み部                ４１：針部              ４２：突起
５  ：往復動発生具          ５１：振動側筐体        ５２：開口部
５３：着脱部                ５４：ピン孔            ５５：針通し孔
５６：装着口                ５７：受けゴム          ５８：ガイドピン
５９：ガイド溝              ５００：針通し孔        ６  ：往復動発生具
６１：振動側筐体            ６２：開口部            ６３：振動筒
６４：ピン穴                ６５：針通し孔          ６６：装着口
６７：ストッパ              ７  ：キャップ          ７０：当接部
７１：ネジ山                ７２：挿着穴            ８  ：ハンドファイル
８０：摘み部                ８１：針部              ８２：突起
【図１】
2020131010.tif 000003
【図２】
2020131010.tif 000004
【図３】
2020131010.tif 000005
【図４】
2020131010.tif 000006
【図５】
2020131010.tif 000007
【図６】
2020131010.tif 000008
【図７】
2020131010.tif 000009
【図８】
2020131010.tif 000010
【図９】
2020131010.tif 000011
【図１０】
2020131010.tif 000012
【図１１】
2020131010.tif 000013
【図１２】
2020131010.tif 000014